(57)【特許請求の範囲】
【請求項１】
警戒エリアの警備状態を警戒状態から解除状態へ、または解除状態から警戒状態へ設定する警備状態設定装置であって、建造物の屋内の出入口近傍に配置され、通信回線を介して警備の処理を行う警備装置と接続された警備状態設定装置と、
警備状態設定装置と接続され、警備状態設定装置の近傍に配置されたモニタと、
警備状態設定装置と接続され、建造物の出入口の外側近傍を撮像できるように配置されたカメラと
を備え、
警備状態設定装置は、入力されたＩＤ番号を識別し、当該ＩＤ番号に対応する警戒エリアの警備状態を解除状態から警戒状態に切り換えようとなされていると判断した場合には、警戒状態に設定するための操作案内の画像パターンと、カメラからの映像信号を重畳してモニタに入力する制御を行う
ことを特徴とする警備状態設定システム。
【発明の詳細な説明】
【０００１】
【発明の属する技術分野】
本発明は、警備システムにおいて、警戒エリアの警備状態の設定を行うための警備状態設定システムに関する。
【０００２】
【従来の技術及び発明が解決しようとする課題】
テナントビルや、オフィスビル、あるいは何等かの事業所等において警備システムを構築する場合、適宜な範囲毎に警戒エリアが定められる。そして、警備システムが構築された建物の出入口近傍には、警戒エリアの警備状態を、警戒状態から解除状態に、あるいは解除状態から警戒状態に切り換え設定するための警備状態設定システムが設けられる。
【０００３】
さて、テナントの最後の退出者は、警備状態設定装置を操作して解除状態から警戒状態に設定して帰宅するのであるが、上述したような、複数の警戒エリアに対する警備状態の設定が可能な警備状態設定装置は、通常、ビルの表通りに面する出入り口よりは裏側に面した出入り口に設置されることが多く、出入り口から外に出る前に、当該出入り口の外側が安全であるかどうかを確認したいという要望があるが、従来の警備状態設定システムにおいてはこの要望に応えることができていないものであった。
【０００４】
本発明は、上記の課題を解決するものであって、テナントの最後の退出者が警備状態設定装置を操作して解除状態から警戒状態に設定する際に、出入り口の外側の状態を観察することができる警備状態設定システムを提供することを目的とするものである。
【０００５】
【課題を解決するための手段】
上記の目的を達成するために、本発明に係る警備状態設定システムは、警戒エリアの警備状態を警戒状態から解除状態へ、または解除状態から警戒状態へ設定する警備状態設定装置であって、建造物の屋内の出入口近傍に配置され、通信回線を介して警備の処理を行う警備装置と接続された警備状態設定装置と、警備状態設定装置と接続され、警備状態設定装置の近傍に配置されたモニタと、警備状態設定装置と接続され、建造物の出入口の外側近傍を撮像できるように配置されたカメラとを備え、警備状態設定装置は、入力されたＩＤ番号を識別し、当該ＩＤ番号に対応する警戒エリアの警備状態を解除状態から警戒状態に切り換えようとなされていると判断した場合には、警戒状態に設定するための操作案内の画像パターンと、カメラからの映像信号を重畳してモニタに入力する制御を行うことを特徴とする。
【０００６】
【発明の実施の形態】
以下、図面を参照しつつ発明の実施の形態について説明する。
図１は本発明に係る警備状態設定システムの一実施形態の構成を示す図であり、図中、１は警備状態設定装置、２は主制御部、３は通信制御部、４はカードリーダ、５は警戒ボタン、６は解除ボタン、７は表示制御部、１０はモニタ、１１は監視カメラ（以下、単にカメラと称す）、Ｌは通信回線を示す。
【０００７】
図１に示すように、この警備状態設定システムは、警備状態設定装置１と、モニタ１０と、カメラ１１を備えている。警備状態設定装置１は、警備システムが構築される建造物の屋内の出入口近傍に設置されている。モニタ１０はＣＲＴや液晶表示装置等の画像表示を行える表示装置で構成され、警備状態設定装置１の近傍に配置される。カメラ１１がカラーカメラである場合にはモニタ１０はカラー画像表示が可能な表示装置で構成されることは当然である。カメラ１１は出入り口の外側近傍を撮像できるように設置されている。
【０００８】
この警備状態設定装置１では、警備状態を解除状態から警戒状態に、または警戒状態から解除状態に切り換え設定する際には、カード操作、即ちＩＤ番号が書き込まれたカードをカードリーダ４に挿入することによって主制御部２にＩＤ番号を識別させるという第１段階の操作と、ＩＤ番号を主制御部２に識別させた後に警戒ボタン５または解除ボタン６を押すという第２段階の操作の２段階の操作を行うようになされている。
【０００９】
上記の主制御部２にＩＤ番号を識別させる第１段階の操作方法としては、図１に示すようにカード操作を行う以外にも、テンキーによってＩＤ番号を入力する方法、あるいは近年では、質問電波を送信する非接触式自動識別コード読み取り装置（ＲＦＩＤ（Radio Frequency Identification）リーダ）に、ＩＤ番号が記憶されたＲＯＭをアンテナコイルの一端に接続した、いわゆるオンチップコイル方式の非接触情報記憶媒体を近づける方法等も知られており、主制御部２に対してＩＤ番号を識別させることができる方法であればどのような方法でもよいが、この実施形態ではカード操作による方法を採用するものとする。なお、ＲＦＩＤリーダ及びオンチップコイル方式の非接触情報記憶媒体については周知であるので詳細な説明は省略する。
【００１０】
主制御部２は、図２に示すように、ＩＤ番号と、そのＩＤ番号が何番の警戒エリアに対応するか、そして、その警戒エリアの現在の警備状態、即ち現在警戒状態にあるか、解除状態にあるかを示す警備状態値とが対応付けられた警備状態テーブル（図１には図示せず）を備えている。なお、ここでは警戒状態にある場合には警備状態値は「１」とし、解除状態にある場合には警備状態値は「０」であるとする。
【００１１】
通信制御部３は、通信回線Ｌによって警備装置（図１には図示せず）と通信を行うためのものである。
カードリーダ４は、ＩＣカード、光カード等のカード状記憶媒体が挿入された場合に、当該カード状記憶媒体に書き込まれているＩＤ番号等のデータを読み取って主制御部１に渡す処理を行う。ここではＩＣカードを用いるものとする。従って、以下の説明ではカードリーダ４はＩＣカードリーダであるとする。
警戒ボタン５は警備状態を解除状態から警戒状態に切り換え設定する際に第２段階で操作するボタンであり、解除ボタン６は警備状態を警戒状態から解除状態に切り換え設定する際に第２段階で操作するボタンであり、何れも押しボタンスイッチで構成される。
表示制御部７には、主制御部２で作成された画像パターンと、カメラ１１からの映像信号が入力され、また、主制御部２から表示画面を制御するための制御信号が入力される。この点については後述する。
【００１２】
以下、図１に示す警備状態設定システムの動作について説明するが、まず、図３を参照して図１に示す警備状態設定システムを用いた警備システムの全体の構成、動作について概略説明する。なお、ここではテナントビルに構築されている警備システムの場合を例にとって説明する。
【００１３】
警備装置２０と警備状態設定装置１は通信回線Ｌによって接続されている。警備装置２０には防犯センサが接続され、また、警備装置２０は出力装置に対して出力を行う。
防犯センサには、人の移動を検知するための熱線センサ、ドアや窓が開いたことを検知するための開閉検知センサ等が用いられる。そして、全ての防犯センサには互いに異なるアドレスが付されている。
出力装置としては、異常が発生したときに侵入者を威嚇するためのサイレンやベル等の威嚇装置や、警備会社の集中監視センタに電話回線によって異常の通報や定時通報を行うための通報装置が用いられる。
【００１４】
警備を行うためには、警戒エリアの総数、どの警戒エリアにどのテナントが入居しているかという警戒エリア番号とテナント名との対応、それぞれの警戒エリアにどのアドレスの防犯センサが設置されているかを示す警戒エリアと防犯センサのアドレスの対応等の情報、各警戒エリアの現在の警備状態の情報等の種々の情報が必要であるが、ここでは、これら警備を行うために必要な情報は全て、予め警備装置２０に設定登録されているものとする。なお、後述するように、各警戒エリアの警備状態に関する情報は警備状態設定装置１から通知されるものである。
【００１５】
警備装置２０は、警戒エリアの警備状態と、防犯センサの状態によって警備の処理を行う。即ち、防犯センサが発報したことを検知しても、当該防犯センサが設置されている警戒エリアが解除状態にある場合には異常が発生したとは判断しないが、防犯センサが発報したことを検知したとき、当該防犯センサが設置されている警戒エリアが警戒状態にある場合には、警備装置２０は、異常が発生したと判断して、出力装置に出力を指示する。これによって威嚇装置が動作し、また警備会社の集中監視センタに異常の通報が行われることになる。
以上が警備システム全体の概略の構成、及び動作である。
【００１６】
次に、図１に示す警備状態設定システムの動作について図４に示すフローチャートを参照して説明する。
カード操作が行われないときには、主制御部２は、表示制御部７に対して所定の画像パターンを生成して送ると共に、主制御部２からの画像パターンを選択することを指示する制御信号を通知する。このときの画面を通常画面と称することにする。従って、カード操作が行われない通常時には、モニタ１０には主制御部２で生成された所定の通常画面が表示されている（ステップＳ１）。このときの画像としては、例えば「カードを挿入して下さい。」等の操作の案内を行う画像でもよく、その他の任意の画像でよい。更には、表示画面全体を黒等の所定の１色として何の画像の表示も行わないようにしてもよい。
【００１７】
この通常時の画像がモニタ１０に表示されている状態において、主制御部２はカード操作を待機する（ステップＳ２）。いま、あるテナントの従業員がＩＣカードをカードリーダ４に挿入してカード操作を行うと、カードリーダ４は当該ＩＣカードからＩＤ番号を読み取って主制御部２に渡す。このことによって主制御部２はカード操作が行われたことを認識する。
【００１８】
そして、主制御部２は、カード操作が行われたことを認識する（ステップＳ２でｙｅｓの場合）と、当該ＩＤ番号の識別を行う（ステップＳ３）。このＩＤ番号識別の処理においては、主制御部２は、警備状態テーブルを参照して、当該ＩＤ番号が警備状態テーブルに登録されている場合には正規のＩＤ番号として認識してステップＳ４の判断の処理に移行し、登録されていない場合には不正なＩＤ番号として認識し、当該ＩＤ番号を無視してステップＳ１に戻る。
【００１９】
カードリーダ４から受けたＩＤ番号が正規のＩＤ番号である場合（ステップＳ３でｙｅｓの場合）、主制御部２は、警備状態テーブルを参照して、当該ＩＤ番号に対応する警戒エリアが現在警戒状態にあるか否かを判断する（ステップＳ４）。そして、当該警戒エリアが現在警戒状態である場合（ステップＳ４でｙｅｓの場合）には、主制御部２は、警備状態を警戒状態から解除状態に切り換えようとなされていると判断して、この時以降解除ボタン６が押されるか、ステップＳ７でタイムアウトするまでの間だけ解除ボタン６の操作を有効とする。
【００２０】
また、このとき主制御部２は、解除状態に設定するための操作案内の画像パターンを生成して表示制御部７に供給する。ステップＳ１以降、表示制御部７に与えられる制御信号は変更されず、主制御部２からの画像パターンを選択することを指示しているから、モニタ１０には当該操作案内の画面が表示される。この場合の操作案内の画面としては、例えば「解除ボタンを押すと警備を解除します。」等の解除状態を設定するための操作を案内する文字パターンとすればよい。
【００２１】
そして、主制御部２は、解除ボタン６が押されるのを待機（ステップＳ６，Ｓ７）し、解除ボタン６が押されずに所定時間が経過すると、主制御部２は操作の意志は無いと判断してタイムアウトして（ステップＳ７でｙｅｓの場合）ステップＳ１に戻るが、タイムアウトする前に解除ボタン６が押されたことを検知する（ステップＳ６でｙｅｓの場合）と、警備状態テーブルの当該警戒エリアの警備状態値を「１」から「０」に変更し、更に警備装置２０に対して当該警戒エリアが解除状態に設定されたことを通知（ステップＳ８）して、ステップＳ１に戻る。そしてステップＳ８からステップＳ１に戻って通常画面が表示された場合、警備状態を切り換えるためには、再度カード操作からやり直すことになる。なお、タイムアウトの時間は任意に設定が可能であり、この点については以下同様である。
【００２２】
以上はステップＳ４の判断で当該警戒エリアが警戒状態にある場合であるが、当該警戒エリアが現在解除状態にある場合（ステップＳ４でｎｏの場合）には、主制御部２は、警備状態を解除状態から警戒状態に切り換えようとなされていると判断して、この時以降警戒ボタン５が押されるか、ステップＳ１１でタイムアウトするまでの間だけ警戒ボタン５の操作を有効とする。
【００２３】
また、このとき、主制御部２は、表示制御部７に対して、警戒状態に設定するための操作案内の画像パターンを生成して供給すると共に、当該画像パターンと、カメラ１１からの映像信号を重畳表示することを指示する制御信号を通知（ステップＳ９）する。この場合の操作案内の画面としては、例えば「警戒ボタンを押すと警備を開始します。」等の警戒状態を設定するための操作を案内する文字パターンとすればよい。このことによって、モニタ１０には、カメラ１１で撮像した出入口の外側近傍の画像に、操作案内のための画像パターン、例えば上記のような文字パターンが重畳表示されるので、当該カード操作を行った操作者は、モニタ１０の画面を観察することによって出入口外側近傍の状況を知ることができる。
【００２４】
そして、主制御部２は、警戒ボタン５が押されるのを待機（ステップＳ１０，Ｓ１１）し、警戒ボタン５が押されずに所定時間が経過すると、主制御部２は操作の意志は無いと判断してタイムアウトして（ステップＳ１１でｙｅｓの場合）ステップＳ１に戻って通常画面を表示するが、タイムアウトする前に警戒ボタン５が押されたことを検知する（ステップＳ１０でｙｅｓの場合）と、警備状態テーブルの当該警戒エリアの警備状態値を「０」から「１」に変更し、更に警備装置２０に対して当該警戒エリアが警戒状態に設定されたことを通知（ステップＳ１２）して、ステップＳ１に戻り、通常画面を表示する。ステップＳ１１からステップＳ１に戻って通常画面が表示された場合、警備状態を切り換えるためには、再度カード操作からやり直すことになる。
【００２５】
以上のように、この警備状態設定システムによれば、解除状態から警戒状態に切り換え設定する際には、必ずカメラ１１で撮像した画像がモニタ１０に表示され、警戒ボタン５の操作は、モニタ１０にカメラ１１で撮像した画像が表示されている期間だけ有効となされるので、操作者はモニタ１０の画面を観察して出入口外側近傍の安全が確かめられた場合にはステップＳ１１でタイムアウトする前に警戒ボタン５を押せばよく、出入口外側近傍の状況に不安が生じた場合には警戒ボタン５を押さずに電話で警備会社に連絡する等の適宜な措置を講ずることが可能となる。
【００２６】
以上、本発明の一実施形態について説明したが、本発明は上記実施形態に限定されるものではなく、種々の変形が可能である。要するに、警戒状態に設定しようと判断される場合に、監視カメラの画像を表示して出入口外側近傍の状況を確認でき、しかも監視カメラの画像がモニタに表示されてからでないと警戒状態に設定するための第２段階の操作ができないようにできる構成であればよいものである。
【００２７】
変形の例を示すと、例えば、上記の実施形態では警戒ボタン５及び解除ボタン６は押しボタンスイッチで構成するものとしたが、モニタ１０を、その画面の前面にタッチパネルを備えた表示装置で構成した場合には、第２段階の操作を行うためのタッチボタンを適応的にモニタ１０に表示することも可能である。具体的には、図４のステップＳ５の処理において解除タッチボタンをモニタ１０に表示し、それがタッチされるまで、あるいはタイムアウトするまで表示すればよく、同様に、図４のステップＳ９の処理において、警戒タッチボタンをカメラ１１からの画像と重畳表示し、それがタッチされるまで、あるいはタイムアウトするまで表示すればよい。
また、上記の実施形態ではＩＤ番号を識別するための第１段階の操作を行うためにカードリーダ４を用いるものとしたが、モニタ１０を、その画面の前面にタッチパネルを備えた表示装置で構成した場合には、通常画面にテンキーを表示し、このテンキーによりＩＤ番号を入力するようにすることも可能である。
更に、スピーカを設け、音声合成技術を用いて、音声によるメッセージを発するようにしてもよい。
【図面の簡単な説明】
【図１】本発明に係る警備状態設定システムの一実施形態を示す図である。
【図２】警備状態設定装置１の主制御部２が備える警備状態テーブルの構造を説明するための図である。
【図３】図１に示す警備状態設定システムを用いた警備システムの全体の構成、動作の概略を説明するための図である。
【図４】図１に示す警備状態設定システムの動作を説明するためのフローチャートである。
【符号の説明】
１…警備状態設定装置、２…主制御部、３…通信制御部、４…カードリーダ、５…警戒ボタン、６…解除ボタン、７…表示制御部、１０…モニタ、１１…監視カメラ、Ｌ…通信回線。
【図１】
0004822236.tif 000002
【図２】
0004822236.tif 000003
【図３】
0004822236.tif 000004
【図４】
0004822236.tif 000005